(57)【要約】【課題】複数の周波数帯域の無線信号に込められたデータを出来る限り小規模な回路で確認でき、且つ消費電力も削減できるシステム共用無線機の提供。【解決手段】単一のアンテナに接続され複数システムの通信周波数帯域にある無線信号を選択的に受信する受付周波数の異なった複数の帯域受信手段と、各帯域受信手段の出力での受信レベルから無線信号の有無を検出する受信センサと、前記無線信号に込められたデータを検出する検波手段と、当該受信センサの出力に応じてデータを検出すべき帯域の帯域受信手段を選択する切換制御手段と、当該切換制御手段により選択された帯域受信手段の出力を前記検波手段に接続する検波信号切換手段を具備するシステム共用無線機。【選択図】      図１
2004248063.tif 000002
【特許請求の範囲】
【請求項１】
単一のアンテナに接続され複数システムの通信周波数帯域にある無線信号を選択的に受信する受付周波数の異なった複数の帯域受信手段と、各帯域受信手段の出力での受信レベルから無線信号の有無を検出する受信センサと、前記無線信号に込められたデータを検出する検波手段と、当該受信センサの出力に応じてデータを検出すべき帯域の帯域受信手段を選択する切換制御手段と、当該切換制御手段により選択された帯域受信手段の出力を前記検波手段に接続する検波信号切換手段を具備するシステム共用無線機。
【発明の詳細な説明】
【０００１】
【発明の属する技術分野】
本発明は、無線機に関するものであり、特に、消費電力の軽減措置に関する。
【０００２】
【従来の技術】
従来、無線機で複数の周波数帯域の無線信号に込められたデータ（以下、無線データと記す。）を受信する際には、周波数帯域毎に受信、増幅、検波、復調を行って、受信レベルやデータ内容を確認する手法（図３参照）や、複数の周波数帯域それぞれの無線信号に対して受信、検波、復調、受信レベルの確認を行い、その受信レベルに応じて所定周波数帯域の復調信号を選択してデータ内容の検出を行う手法が採られていた（特許文献１参照）。
【０００３】
【特許文献１】
特開平１１−２８４５５４号公報
【０００４】
【発明が解決しようとする課題】
しかしながら、例えば、後者である前記特許文献１に開示の手法では、検波や復調を行う為の回路が周波数帯域毎に複数必要となり、前者にあっては、更にデータ内容を確認する回路も必要となって、回路規模が大きくなるばかりか、消費電力も大きくならざるを得ないと言う問題があった。
【０００５】
本発明は、上記実情に鑑みて成されたものであって、複数の周波数帯域の無線信号に込められたデータを出来る限り小規模な回路で確認でき、且つ消費電力も削減できるシステム共用無線機の提供を目的とする。
【０００６】
【課題を解決するための手段】
上記課題を解決するために成された本発明によるシステム共用無線機は、単一のアンテナに接続され複数システムの通信周波数帯域にある無線信号を選択的に受信する受付周波数の異なった複数の帯域受信手段と、各帯域受信手段の出力での受信レベルから無線信号の有無を検出する受信センサと、前記無線信号に込められたデータを検出する検波手段と、当該受信センサの出力に応じてデータを検出すべき帯域の帯域受信手段を選択する切換制御手段と、当該切換制御手段により選択された帯域受信手段の出力を前記検波手段に接続する検波信号切換手段を具備することを特徴とする。尚、前記帯域受信手段とは、一定の限られた帯域の周波数信号を入力から出力へ通過させる帯域フィルタ回路、及び通過した周波数信号を受信レベルによる判定に適したレベルにまで増幅するアンプ回路等を含めたものであって、アンテナ、検波回路（信号レベルのみの検波を行う回路を除く）、復調回路を含まない手段である。
【０００７】
【発明の実施の形態】
以下、本発明によるシステム共用無線機の実施の形態を図面に基づいて説明する。
この例は、セキュリティシステム（周波数帯域Ａ）とテレメ・テレコンシステム（周波数帯域Ｂ）に共用される無線機の一例を示したものであり、受信機能と送信機能とを併せ持つものである。
【０００８】
この例における受信機能は、セキュリティシステムとテレメ・テレコンシステム各々の通信周波数帯域にある無線信号を選択的に受信する二つの帯域受信手段と、各帯域受信手段の出力での受信レベルから無線信号の有無を判定する為に信号レベルのみを検波する受信センサと、前記無線信号に込められたデータを検出する検波手段と、当該受信センサの判定に応じてデータを検出すべき帯域の帯域受信手段を選択する切換制御手段と、当該切換制御手段により選択された帯域受信手段の出力を前記検波手段に接続する検波信号切換手段を具備して実現される。
【０００９】
図１の如く、当該例の前記各帯域受信手段は、広帯域アンテナ１に送受切換スイッチ２を介して接続された二つの帯域フィルタ回路３，３、及び通過した周波数信号を受信レベルによる判定に適したレベルにまで増幅する受信アンプ回路４である。当該各受信アンプ回路４の出力は、前記検波信号切換手段たるアナログスイッチ５の入力に接続されると共に、それぞれの前記受信センサたるダイオード検波回路６，６に各々接続される。当該各ダイオード検波回路６，６の出力は前記切換制御手段たるＣＰＵ７に判定信号として入力され、各々一定の閾値と比較され各帯域受信手段における無線信号の有無が判定される。当該ＣＰＵ７は、当該判定結果に基づき検波すべき周波数帯域を選択し前記アナログスイッチ５の制御端子１４（図２参照）に所定の制御信号を供給する。
【００１０】
当該例の検波手段は、選択されたシステム周波数帯域の成分に、前記ＣＰＵ７に制御されたＰＬＬ回路８のＶＣＯ（電圧制御発信機）９の出力をミックスして中間周波数を取り出す為ＤＢＭ（Ｄｏｕｂｌｅ  Ｂａｌａｎｃｅｄ  Ｍｉｘｅｒ）１０と、当該ＤＢＭ１０の出力から所定周波数帯域の信号を取り出す帯域フィルタ回路１１と、当該帯域フィルタ回路１１の出力をデータ検波に必要なレベルまで増幅する検波アンプ回路１２と、当該検波アンプ回路１２の出力から無線データ成分を検出する検波ＩＣ１３とで構成され、検出された無線データは、当該無線データに基づき種々の制御動作を選択的に行うシステム管理機能や前記検波ＩＣ１３を制御する通信管理機能をも併せ持つ前記ＣＰＵ７に入力される。
【００１１】
上記回路構成によって、例えば、セキュリティシステムからの受信が有った場合には、当該セキュリティシステムで用いられる周波数帯域Ａを通す帯域フィル回路３の出力によって、それを受けた前記ダイオード検波回路６の出力に前記ＣＰＵ７の比較閾値を越えるレベルの信号が発生する。
【００１２】
そこで、当該ＣＰＵ７は、当該判定信号に応じて無線信号が有ると判断した周波数帯域Ａの前記帯域受信手段からの出力を選択する旨の制御信号を前記アナログスイッチ５の制御端子７へ供給し、当該制御信号を受けたアナログスイッチ５は、周波数帯域Ａの前記帯域受信手段からの出力をその出力端子１５に出現させ、前記検波手段の入力（図１ではＤＢＭ１０の入力端子）に供給する。これら、一連の受信機能による動作によって前記セキュリティシステムの無線信号が検波・復調され、前記ＣＰＵ７のシステム管理機能によって続く当該無線機による動作のトリガーが適宜形成される。尚、前記テレメ・テレコンシステムの周波数帯域Ｂの受信が有った際も同様の動作となる。
【００１３】
前記帯域受信手段から無線信号が有る旨の判定信号を、複数の帯域受信手段から間をおかずに受けた場合、前記ＣＰＵ７は、通常先着順で前記通信管理機能に基づく受信・復調・検波処理を行い、例えば、他の無線機に宛てて送信された無線信号であった場合には、他の帯域受信手段に対する処理を行う。しかしながら、当該例のように、セキュリティシステムを担当する帯域受信手段とテレメ・テレコンシステムを担当する帯域受信手段とから無線信号が有る旨の判定信号を間をおかずに受けた場合には、事案の緊急性によりセキュリティシステムの周波数帯域の処理を優先させる割り込み処理を行うことも可能である。
【００１４】
一方、この例における送信機能は、セキュリティシステムとテレメ・テレコンシステム各々の通信周波数帯域にある無線信号を選択的に送信する二つの帯域送信手段と、前記受信センサの判定に応じてデータを送出すべき帯域の帯域送信手段を選択する切換制御手段と、当該切換制御手段により選択された帯域送信手段の入力をＰＬＬ回路８に接続する送信切換手段を具備して実現される。
【００１５】
当該例の前記各帯域送信手段は、広帯域アンテナ１に送受切換スイッチ２を介して接続された帯域フィルタ回路１６，１６である。当該帯域フィルタ回路１６，１６の入力は、前記送信信号切換手段たるアナログスイッチ１７を介して、前記ＣＰＵ７に制御されたＰＬＬ回路８のＶＣＯ９の出力信号を送信に適したレベルにまで増幅する送信アンプ回路１８の出力に接続される。尚、当該例の送信機能の切換制御手段は、受信機能の切換制御手段たるＣＰＵ７であり、前記ＰＬＬ回路８も受信機能と共用される。
【００１６】
上記回路構成によって、例えば、セキュリティシステムからの受信が有った場合には、前記送信機能の説明の如く、ＣＰＵ７のシステム管理機能によって続く当該無線機による動作のトリガーが適宜形成されるが、例えば、当該受信に基づき何等かの無線データを送信する必要が生じた場合には、当該ＣＰＵ７は、選択されたセキュリティシステムのシステム周波数帯域で無線データを送出すべく前記ＰＬＬ回路８を制御すると共に、前記送信信号切換手段たるアナログスイッチ１７の制御端子１４に対し、同じくセキュリティシステムのシステム周波数帯域を通過させる帯域フィルタ回路１６を前記送信アンプ回路１８の出力に接続する為の所定の制御信号を供給し、更に、広帯域アンテナ１に接続された前記送受切換スイッチ２の制御端子へ送信側へ切り替える制御信号を供給する。
【００１７】
以上の如く、上記無線機に寄れば、無線信号を複数のシステム周波数帯域に分別してレベル検出し、検波前の段階で各システム個別に設定された回路を受信した周波数帯域に相当するシステム用の回路に切り替えることによって、複数のシステムで、アンテナ、ＰＬＬ回路、検波回路、或いはシステム管理制御及び通信管理制御を司る回路を効果的に共用することができる。
【００１８】
【発明の効果】
以上の如く本発明によるシステム共用無線機によれば、複数の異なる周波数帯域に亘る複数のシステムに対応した場合であっても、一通りのアンテナ、検波回路或いは復調回路等でまかなう事ができ、回路規模の縮小が可能となるばかりか、消費電力も大きく削減できることとなる。而して、例えば、音声通信とデータ通信を一つの無線機で行う事が出来るなど、複数のシステムに対応できる小型で安価な無線機を一体的に構成することが可能となる。
【図面の簡単な説明】
【図１】本発明によるシステム共用無線機の一例を示す回路ブロック図である。
【図２】検波信号切換手段や送信信号切換手段の一例を示す説明図である。
【図３】従来のマルチバンド無線機の一例を示す回路ブロック図である。
【符号の説明】
１  アンテナ，２  送受切換スイッチ，３  帯域フィルタ回路，
４  受信アンプ回路，５  アナログスイッチ，６  ダイオード検波回路，
７  ＣＰＵ，８  ＰＬＬ回路，９  ＶＣＯ，１０  ＤＢＭ，
１１  帯域フィルタ回路（検波），１２  検波アンプ回路，
１３  検波ＩＣ，１４  制御端子，１５  出力端子，
１６  帯域フィルタ回路，１７  アナログスイッチ，
１８  送信アンプ回路，
【図１】
2004248063.tif 000003
【図２】
2004248063.tif 000004
【図３】
2004248063.tif 000005